(57)【要約】【課題】圧力センサが設置されておらずとも体動バランスを検出することができる体動測定装置１を提供する。【解決手段】体動測定装置１に、歩行による加速度の変化を検知する加速度検知部１２と、該加速度検知部１２で検知した加速度信号から歩行バランスを検出する演算部１４と、検出した歩行バランスに基づく出力を行う表示部１３とを備えた。前記歩行バランスを検出する演算部１４は、前記加速度信号から歩行一歩単位を認識して足別情報であるＰＰｏｄｄ、ＰＰｅｖｅｎ、Ｔｏｄｄ、およびＴｅｖｅｎを取得するステップＳ８およびステップＳ１２と、この足別情報に基づいて歩行バランスを検出するステップＳ９，Ｓ１３，Ｓ１６とを実行する。【選択図】図２
2010119500.tif 000002
【特許請求の範囲】
【請求項１】
生体に携帯されて該生体の体動による変化を検知した体動関連信号を取得する体動関連信号取得手段と、
該体動関連信号取得手段で取得した体動関連信号から体動バランスを検出する体動バランス検出手段と、
検出した体動バランスに基づく出力を行う出力手段とを備えた
体動バランス検出装置。
【請求項２】
前記体動バランス検出手段は、
前記体動関連信号から一歩単位を認識して足別に分離した各足に関する足別情報を取得する足別情報取得処理と、
前記足別情報に基づいて体動バランスを検出する体動バランス検出処理とを実行する
請求項１記載の体動バランス検出装置。
【請求項３】
前記足別情報は、
各歩における体動関連信号の振幅、または、
各歩における体動関連信号から取得する一歩分の時間である一歩時間、
のうち少なくとも一方が含まれ、
前記体動バランス検出処理は、
それぞれの前記足別情報の振幅を比較する振幅比較処理、または、
それぞれの前記足別情報の一歩時間を比較する一歩時間比較処理
のうち少なくとも一方の処理により体動バランスを検出する
請求項２記載の体動バランス検出装置。
【請求項４】
前記体動バランス検出手段は、
前記体動関連信号から前記足別情報となる一歩毎の情報を続けて取得できる体動か否か判定する連続性判定処理を実行し、
所定歩数分続けて取得できれば前記足別情報取得処理、および体動バランス検出処理を実行し、
所定歩数分続けて取得できなければ体動バランスの検出を行わない構成とした
請求項２または３記載の体動バランス検出装置。
【請求項５】
体動バランスの良否を判定する判定基準のユーザによる指定を許容する判定基準指定受付手段を備え、
前記体動バランス検出処理は、
前記足別情報が前記判定基準を満たすか否か判定する構成である
請求項２、３または４記載の体動バランス検出装置。
【請求項６】
前記体動関連信号は、
運動生体の鉛直方向の加速度信号、または
運動生体の左右方向の加速度信号
の少なくとも一方を含む構成である
請求項１から５のいずれか１つに記載の体動バランス検出装置。
【請求項７】
生体に携帯されて該生体の体動による変化を検知する携帯型体動検知センサと、
前記携帯型体動検知センサで検知した体動関連信号から歩数をカウントする歩数カウント手段と、
前記携帯型体動検知センサで検知した体動関連信号から体動バランスを検出する体動バランス検出手段と、
前記歩数カウント手段によりカウントしたカウント歩数の歩数表示と、前記体動バランス検出手段により検出した体動バランスに基づく体動バランス表示とを行う表示手段と、
少なくとも前記カウント歩数を記憶する記憶手段と、
前記各手段に電力供給を行う電源手段とを備えた
体動測定装置。
【請求項８】
コンピュータを、
生体に携帯されて該生体の体動による変化を検知した体動関連信号を取得する体動関連信号取得手段と、
該体動関連信号から体動バランスを検出する体動バランス検出手段と、
検出した体動バランスに基づく出力を行う出力手段として機能させる
体動バランス検出プログラム。
【請求項９】
生体に携帯されて該生体の体動による変化を検知した体動関連信号から体動バランスを検出し、
検出した体動バランスに基づく出力を行う
体動バランス検出方法。
【請求項１０】
体動による変化を検知した体動関連信号を取得する体動関連信号取得手段と、該体動関連信号取得手段で取得した体動関連信号から体動バランスを検出する体動バランス検出手段と、検出した体動バランスに基づく出力を行う出力手段とを備えた体動バランス検出装置を運動生体の正中線上に装着し、
前記出力手段からの前記体動バランスに基づく出力に基づいて体動バランスの診断を行う
体動バランス診断方法。
【発明の詳細な説明】
【技術分野】
【０００１】
この発明は、例えば歩行や走行といった前進運動、あるいは足踏みやもも上げといったその場運動など、運動における体動バランスを検出するような体動バランス検出装置、体動バランス検出プログラム、体動バランス検出方法、および体動バランス診断方法に関する。
【背景技術】
【０００２】
従来、姿勢の美しさを評価する際に、バランスと対称性が重要な要素となることが知られている。このため、バランスを評価することは、ウォーキングの美しさや、リハビリテーションの進捗管理に役立つと考えられる。
【０００３】
一方、歩行時の姿勢を評価する従来の技術として、ウォーキング判定装置が提案されている（特許文献１参照）。このウォーキング判定装置は、床に設置された圧力センサ上を歩かせることで、歩行者の足圧分布を測定して歩行の美しさや健康度を評価するものである。
【０００４】
しかし、このウォーキング判定装置は、日常生活での歩行など、圧力センサが設置されていない場所で利用することができず、利便性に欠けるものであった。
【特許文献１】特開２００１−２１８７５４号公報
【発明の開示】
【発明が解決しようとする課題】
【０００５】
この発明は、上述の問題に鑑み、圧力センサが設置されておらずとも足別の運動の偏りによる体動バランスを検出することができる体動バランス検出装置、体動バランス検出プログラム、体動バランス検出方法、および体動バランス診断方法を提供することを目的とする。
【課題を解決するための手段】
【０００６】
この発明は、生体に携帯されて該生体の体動による変化を検知した体動関連信号を取得する体動関連信号取得手段と、該体動関連信号取得手段で取得した体動関連信号から体動バランスを検出する体動バランス検出手段と、検出した体動バランスに基づく出力を行う出力手段とを備えた体動バランス検出装置であることを特徴とする。
【０００７】
前記体動関連信号取得手段は、体動による加速度の変化を検知した加速度信号を取得する加速度信号取得手段、あるいは体動による他の変化を検知した信号を取得する手段、若しくはこれらによって取得した体動関連信号を有線または無線により受信する受信手段など、体動に関連する信号を取得する手段により構成することができる。前記加速度信号取得手段は、加速度の変化を検知する加速度センサ、または、加速度の変化が検知された加速度信号を有線または無線により受信する受信手段により構成することができる。前記加速度センサは、一方向の加速度を検知する一次元加速度センサ、直交する二方向の加速度を検知する二次元加速度センサ、または、直交する三方向の加速度を検知する三次元加速度センサで構成することができる。
【０００８】
前記体動バランスは、歩行や走行などの前進運動、または、足踏みやもも上げなどのその場運動といった運動での足別の運動の偏りによる体動バランスとすることができる。具体的には、二足生体における右足と左足の体動バランス、四足生体における右前足と左前足と右後ろ足と左後ろ足の体動バランスとすることができる。
【０００９】
前記出力手段は、表示を行う表示手段、点灯または点滅を行う照明手段、音声出力を行う音声出力手段、振動を行う振動手段、または情報を送信する通信手段など、出力を行う適宜の手段で構成することができる。
【００１０】
前記出力手段による出力は、体動バランスの良否の出力、体動バランスが左傾斜か右傾斜か正常かの出力、足別のステップ間隔が均一か偏っているかの出力、体動バランスの不良レベルの出力、あるいはこれらの複数など、適宜の出力とすることができる。  
例えば、表示手段に表示する場合は、図柄、マーク、文字などにより表す、あるいは、例えば異常のある場合だけ表示するといったように表示するか否かにより表すなど、適宜の表示方法により出力することができる。
【００１１】
照明手段により出力する場合は、例えば異常のある場合とない場合で、点灯と消灯を切り替える、点滅と消灯を切り替える、点灯する色を切り替えるなど、適宜の照明の切替により出力することができる。
【００１２】
音声出力手段により出力する場合は、良否や状態などを音声により報知する、あるいは異常のある場合にアラーム音または異常の旨を報知するなど、適宜の音声により報知することができる。
【００１３】
振動手段により出力する場合は、異常のある場合にのみ振動する、異常の程度によって振動量を異ならせるなど、適宜の方法によって出力することができる。
【００１４】
通信手段により出力する場合は、良否データを出力する、あるいは数値データを出力するなど、受信側（体動バランス検出装置から直接または間接にデータを受け取る情報処理端末）が上記表示手段、照明手段、音声出力手段、あるいは振動手段によって体動バランスの良否等を出力できる適宜のデータを送信することができる。
【００１５】
前記体動バランス検出装置は、体動を測定する体動測定装置、または体動測定装置からデータ取得する適宜の情報処理装置とすることができる。体動測定装置は、歩数を計数する歩数計、あるいは活動量を測定する活動量計とすることができる。また、情報処理装置は、携帯電話機やＰＤＡやノート型パーソナルコンピュータなどの携帯型情報処理装置、デスクトップ型パーソナルコンピュータやサーバコンピュータなどの設置型情報処理装置とすることができる。
【００１６】
この発明により、圧力センサが設置されておらずとも足別の運動の偏りによる体動バランスを検出することができる。
【００１７】
この発明の態様として、前記体動バランス検出手段は、前記体動関連信号から一歩単位を認識して足別に分離した各足に関する足別情報を取得する足別情報取得処理と、前記足別情報に基づいて体動バランスを検出する体動バランス検出処理とを実行する構成とすることができる。
【００１８】
前記足別に分離した各足に関する足別情報は、二足生体における奇数歩と偶数歩または左足と右足、四足生体における第１〜第４歩または右前足と左前足と右後ろ足と左後ろ足または奇数歩と偶数歩など、運動において順番にあるいは交互に繰り出すそれぞれの足に関する情報とすることができる。  
この態様により、それぞれの足の関係における体動バランスを検出することができる。
【００１９】
またこの発明の態様として、前記足別情報は、各歩における体動関連信号の振幅、または、各歩における体動関連信号から取得する一歩分の時間である一歩時間、のうち少なくとも一方が含まれ、前記体動バランス検出処理は、それぞれの前記足別情報の振幅を比較する振幅比較処理、または、それぞれの前記足別情報の一歩時間を比較する一歩時間比較処理のうち少なくとも一方の処理により体動バランスを検出する構成とすることができる。
【００２０】
これにより、それぞれの足で運動時に振幅や一歩時間の差があるかといったことを検出することができる。
【００２１】
またこの発明の態様として、前記体動バランス検出手段は、前記体動関連信号から前記足別情報となる一歩毎の情報を続けて取得できる体動か否か判定する連続性判定処理を実行し、所定歩数分続けて取得できれば前記足別情報取得処理、および体動バランス検出処理を実行し、所定歩数分続けて取得できなければ体動バランスの検出を行わない構成とすることができる。
【００２２】
これにより、続けて運動している場合に体動バランスを検出することができ、検出する体動バランスの精度を向上させることができる。
【００２３】
またこの発明の態様として、体動バランスの良否を判定する判定基準のユーザによる指定を許容する判定基準指定受付手段を備え、前記体動バランス検出処理は、前記足別情報が前記判定基準を満たすか否か判定する構成とすることができる。
【００２４】
前記ユーザは、体動バランス検出装置を装着する運動生体自身、あるいは体動バランス検出装置を装着する運動生体の運動を評価または診断するインストラクターや医者や介護者など、体動バランス検出装置を用いる者とすることができる。
【００２５】
この態様より、ユーザが自分で体動バランスの判定基準を定めることができる。従って、初期は判定基準をゆるく設定しておき、最終的には判定基準をきつく設定することができ、運動訓練の進捗状況に合わせて判定基準を変更するといったことが可能になる。
【００２６】
またこの発明の態様として、前記体動関連信号は、運動生体の鉛直方向の加速度信号、または運動生体の左右方向の加速度信号の少なくとも一方を含む構成とすることができる。  
これにより、体動バランスの検出に役立つ加速度信号を取得することができる。
【００２７】
またこの発明は、生体に携帯されて該生体の体動による変化を検知する携帯型体動検知センサと、前記携帯型体動検知センサで検知した体動関連信号から歩数をカウントする歩数カウント手段と、前記携帯型体動検知センサで検知した体動関連信号から体動バランスを検出する体動バランス検出手段と、前記歩数カウント手段によりカウントしたカウント歩数の歩数表示と、前記体動バランス検出手段により検出した体動バランスに基づく体動バランス表示とを行う表示手段と、少なくとも前記カウント歩数を記憶する記憶手段と、前記各手段に電力供給を行う電源手段とを備えた体動測定装置とすることができる。
【００２８】
前記運動量測定手段は、歩行や走行の歩数をカウントする歩数カウント手段、あるいは、歩行や掃除などの活動量を測定する活動量測定手段で構成することができる。  
この態様により、圧力センサが設置されておらずとも足別の運動の偏りによる体動バランスを検出することができる体動測定装置を提供することができる。
【００２９】
またこの発明は、コンピュータを、生体に携帯されて該生体の体動による変化を検知した体動関連信号を取得する体動関連信号取得手段と、該体動関連信号から体動バランスを検出する体動バランス検出手段と、検出した体動バランスに基づく出力を行う出力手段として機能させる体動バランス検出プログラムとすることができる。
【００３０】
これにより、適宜のコンピュータに体動バランス検出プログラムをインストールして体動バランス検出装置を作成することができる。
【００３１】
またこの発明は、生体に携帯されて該生体の体動による変化を検知した体動関連信号から体動バランスを検出し、検出した体動バランスに基づく出力を行う体動バランス検出方法とすることができる。  
これにより、体動のバランスを検出することができる。
【００３２】
またこの発明は、体動による変化を検知した体動関連信号を取得する体動関連信号取得手段と、該体動関連信号取得手段で取得した体動関連信号から体動バランスを検出する体動バランス検出手段と、検出した体動バランスに基づく出力を行う出力手段とを備えた体動バランス検出装置を運動生体の正中線上に装着し、前記出力手段からの前記体動バランスに基づく出力に基づいて体動バランスの診断を行う体動バランス診断方法とすることができる。
【００３３】
これにより、例えばインストラクターや医者などが運動生体の体動バランスを診断することができる。従って、例えば運動時の姿勢の矯正やリハビリテーションによる運動能力回復の把握などに役立てることができる。
【発明の効果】
【００３４】
この発明により、圧力センサが設置されておらずとも足別の運動の偏りによる体動バランスを検出することができる。
【発明を実施するための最良の形態】
【００３５】
この発明の一実施形態として、体動バランスの１つである歩行バランスを検出する体動測定装置の例について、以下図面と共に説明する。  
図１は、体動測定装置１の構成を示すブロック図である。
【００３６】
体動測定装置１は、通信部１１、加速度検知部１２、表示部１３、演算部１４、電源接続部１５、記憶部１６、操作部１７、および電源部１８を有しており、携帯型とするべく普通人の手のひらに納まる程度の大きさに形成されている。この体動測定装置は、歩数をカウントする歩数計、あるいは掃除や雑巾がけといった家事などによる活動量を測定する活動量測定装置として用いられるものである。
【００３７】
通信部１１は、有線接続するＵＳＢ（Universal Serial Bus）や無線通信するＢｌｕｅｔｏｏｔｈ（登録商標）など、適宜の通信インターフェースで構成することができる。これにより、パーソナルコンピュータや携帯電話機やＰＤＡ（Personal Digital Assistants）などの情報処理装置との通信を実現する。
【００３８】
加速度検知部１２は、体動測定装置１を装着した装着ユーザの歩行等によって生じる振動の加速度を検知するセンサであり、検知信号を演算部１４に伝達する。この加速度検知部１２は、一方向の加速度を検知する一次元加速度センサ、直交する二方向の加速度を検知する二次元加速度センサ、または、直交する三方向の加速度を検知する三次元加速度センサで構成することができ、情報量の多い三次元加速度センサが最も好ましい。
【００３９】
なお、この加速度検知部１２により歩行バランスを正しく検出するために、携帯型の体動測定装置１は、歩行者の正中線上に装着されることが好ましく、例えばベルトのバックル部またはベルトの背中側中央部に装着されることが好ましく、ベルトのバックル部に装着されることがより好ましい。
【００４０】
これにより、良好なバランスで歩行した際に、加速度検知部１２で検知する加速度の変動に右足と左足で差が出ることを防止できる。すなわち、例えば体動測定装置１を右足につければ、右足の接地時に強い加速度の変化が現れて、左足の接地時の加速度の変化がそれより少なくなり得るが、このようなことを防止できる。
【００４１】
このように体動測定装置１を正中線上に装着した場合、加速度検知部１２を三次元加速度センサで構成すれば、加速度信号の進行方向成分、鉛直方向成分、および左右方向成分をそれぞれ容易に取り出すことができる。
【００４２】
表示部１３は、液晶などの表示機器で構成されており、演算部１４からの表示制御信号に従って情報を表示する。この表示する情報は、歩数や歩行バランスなど歩行に関する情報とすることができる。
【００４３】
演算部１４は、電源部１８から電源接続部１５を介して受け取る電力によって駆動し、加速度検知部１２および操作部１７から伝達される検知信号の受け取り（検出）、通信部１１、表示部１３、および記憶部１６に対する電力供給（電源）と動作制御（表示制御）を実行する。また、加速度検知部１２から伝達された検知信号に基づいて、記憶部１６に記憶している歩行判定基準データや一歩判定基準データ等を参照して演算する処理も実行する。
【００４４】
記憶部１６は、加速度検知部１２で検知した検知信号である加速度データ、該検知信号のうち一歩を検出するための一歩判定基準データ、および、歩行バランスを検出するための体動バランス検出プログラム等を記憶している。
【００４５】
操作部１７は、体重や歩幅などのユーザ情報の入力操作、時計を合わせる日時入力操作、表示内容を歩数・消費カロリー・歩行距離といった各種内容に切り替える表示内容切替操作、および、通信部１１に接続された別途の情報処理端末へデータ送信するデータ送信操作など、適宜の操作入力を受け付け、この操作入力信号を演算部１４に伝達する。  
また、操作部１７は、歩行バランスの良否を判定するための判定基準（第１〜第４バランス判定基準値）の操作入力も受け付ける。この判定基準の操作入力は、予め用意した複数の判定基準から選択式に指定させる、デジタル式に所定段階ずつ変更するように指定させる、あるいはアナログ式に任意に変更するように指定させるなど、適宜の入力とすることができる。  
電源部１８は、充電可能なバッテリーや充電不可の電池など、携帯可能な適宜の電源により構成されている。
【００４６】
図２は、体動測定装置１の演算部１４が体動バランス検出プログラムに従って実行する動作のフローチャートである。  
演算部１４は、加速度検知部１２から加速度データを取得し（ステップＳ１）、この加速度データから一歩の検出を行う（ステップＳ２）。この一歩の検出は、例えば極大値から極小値までの振幅と一歩時間が所定の範囲にあるデータがあれば一歩と検出するなど、適宜の一歩判定基準データに基づいて実行すると良い。
【００４７】
一歩を検出できなかった場合（ステップＳ２：Ｎｏ）、演算部１４は、変数であるバランス用歩数ＢＳに値０を代入してステップＳ１に戻る（ステップＳ３）。
【００４８】
一歩を検出できた場合（ステップＳ２：Ｙｅｓ）、演算部１４は、ノイズの有無を判定し（ステップＳ４）、ノイズが有った場合（ステップＳ４：Ｎｏ）、前述したステップＳ３を実行する。
【００４９】
ノイズが無かった場合（ステップＳ４：Ｙｅｓ）、演算部１４は、歩行未検出が所定時間（歩行が中断されていないか判定する歩行中断判定時間、例えば１秒）以内か否か判定し（ステップＳ５）、所定時間を超えていれば（ステップＳ５：Ｎｏ）、前述したステップＳ３を実行する。また、ステップＳ４にてノイズが無かった場合、演算部１４は、検出した一歩を歩数としてカウントし、このカウント歩数を図３（Ａ）の画面イメージ図に示すように表示部１３に表示するとともに記憶部１６に記憶する。図３（Ａ）の例では、表示部１３に歩数６４と時刻６３が表示されている。
【００５０】
歩行未検出が所定時間以内であれば（ステップＳ５：Ｙｅｓ）、演算部１４は、バランス用歩数ＢＳに１を加算し、一歩の加速度波形のＰＰ値（一歩の極大値から極小値までの振幅）および一歩時間Ｔ（一歩の加速度波形の時間長さ）を算出する（ステップＳ６）。
【００５１】
演算部１４は、バランス用歩数ＢＳが所定値（所定歩数の連続性を判定する値、この実施例では１０歩分を示す１０）になるまで（ステップＳ７：Ｎｏ）、前述したステップＳ１〜Ｓ６を繰り返す。
【００５２】
バランス用歩数ＢＳが所定値になると（ステップＳ７：Ｙｅｓ）、演算部１４は、振幅による歩行バランス検出処理（ステップＳ８〜Ｓ１１）と、一歩時間による歩行バランス検出処理（ステップＳ１２〜Ｓ１５）を実行する。
【００５３】
振幅による歩行バランス検出処理を行う演算部１４は、ステップＳ７の所定値の半分（この例では５歩分）の奇数歩目のＰＰ値の平均値（ＰＰｏｄｄ）、該半分の偶数歩目のＰＰ値（ＰＰｅｖｅｎ）を算出する（ステップＳ８）。
【００５４】
演算部１４は、偶数歩ＰＰ値（ＰＰｏｄｄ）／奇数歩ＰＰ値（ＰＰｅｖｅｎ）が第１バランス判定基準値（この例では１．１０）以上か、または、偶数歩ＰＰ値（ＰＰｏｄｄ）／奇数歩ＰＰ値（ＰＰｅｖｅｎ）が第２バランス判定基準値（この例では０．９０）以下か否かを判定する（ステップＳ９）。
【００５５】
偶数歩ＰＰ値（ＰＰｏｄｄ）／奇数歩ＰＰ値（ＰＰｅｖｅｎ）が第１バランス判定基準値以上かまたは第２バランス判定基準値以下であれば（ステップＳ９：Ｙｅｓ）、演算部１４は、歩行バランスが悪いと判定し、変数である「歩行バランスＰＰ」に歩行バランス不良を示す“Ｕｎｂａｌａｎｃｅｄ”を代入する（ステップＳ１０）。
【００５６】
偶数歩ＰＰ値（ＰＰｏｄｄ）／奇数歩ＰＰ値（ＰＰｅｖｅｎ）が第１バランス判定基準値から第２バランス判定基準値までの範囲内であれば（ステップＳ９：Ｎｏ）、演算部１４は、歩行バランスが良いと判定し、変数である「歩行バランスＰＰ」に歩行バランス良を示す“Ｂａｌａｎｃｅｄ”を代入する（ステップＳ１１）。
【００５７】
前述したステップＳ７の後、一歩時間による歩行バランス検出処理を行う演算部１４は、ステップＳ７の所定値の半分（この例では５歩分）の奇数歩目の一歩時間Ｔの平均値（Ｔｏｄｄ）、該半分の偶数歩目の一歩時間Ｔ（Ｔｅｖｅｎ）を算出する（ステップＳ１２）。  
なお、このＴｏｄｄや前述のＰＰｏｄｄといった奇数歩の情報を一方足情報とし、ＴｅｖｅｖやＰＰｅｖｅｎといった偶数歩の情報を他方足情報とすることができ、これによって一方足情報と他方足情報の比較が可能となっている。
【００５８】
演算部１４は、偶数歩一歩時間Ｔ（Ｔｏｄｄ）／奇数歩一歩時間Ｔ（Ｔｅｖｅｎ）が第３バランス判定基準値（この例では１．２０）以上か、または、偶数歩一歩時間Ｔ（Ｔｏｄｄ）／奇数歩一歩時間Ｔ（Ｔｅｖｅｎ）が第４バランス判定基準値（この例では０．８０）以下か否かを判定する（ステップＳ１３）。
【００５９】
偶数歩一歩時間Ｔ（Ｔｏｄｄ）／奇数歩一歩時間Ｔ（Ｔｅｖｅｎ）が第３バランス判定基準値以上かまたは第４バランス判定基準値以下であれば（ステップＳ１３：Ｙｅｓ）、演算部１４は、歩行バランスが悪いと判定し、変数である「歩行バランスＴ」に歩行バランス不良を示す“Ｕｎｂａｌａｎｃｅｄ”を代入する（ステップＳ１４）。
【００６０】
偶数歩一歩時間Ｔ（Ｔｏｄｄ）／奇数歩一歩時間Ｔ（Ｔｅｖｅｎ）が第３バランス判定基準値から第４バランス判定基準値までの範囲内であれば（ステップＳ１３：Ｎｏ）、演算部１４は、歩行バランスが良いと判定し、変数である「歩行バランスＴ」に歩行バランス良を示す“Ｂａｌａｎｃｅｄ”を代入する（ステップＳ１５）。
【００６１】
演算部１４は、歩行バランスＰＰと歩行バランスＴの値を確認し、いずれか一方にでも“Ｕｎｂａｌａｎｃｅｄ”が代入されていれば（ステップＳ１６：Ｙｅｓ）、ユーザにバランス異常を報知する（ステップＳ１７）。ここでのユーザへの報知方法は、種々の方法を採用できる。たとえば、図３（Ｂ）に示すように、表示部１３にバランス異常を示す警告マーク６１やバランス異常表示６２を表示する、図３（Ｄ）や図３（Ｅ）に示すように表示部１３に人が右または左に傾いている人絵図６５や「良好」「右傾斜」「左傾斜」を示す状態説明文字６６を表示する、別途備えたＬＥＤ等を赤色などで発光あるいは点滅させる、別途備えた音声出力装置で音声案内を行う、別途備えた振動装置（バイブレーション装置）を振動させる、あるいはこれらの複数を行うことができる。
【００６２】
なお、右傾斜や左傾斜を表示する場合、例えば傾き判定モードなどの特殊モードをユーザに選択させ、この特殊モードで一歩目が左足と右足のどちらであるかを指定してまたは選択させてから測定を行うとよい。これにより、演算部１４は、偶数歩ＰＰ値（ＰＰｏｄｄ）および奇数歩ＰＰ値（ＰＰｅｖｅｎ）を、それぞれ右足および左足と対応付けをすることができ、偶数歩ＰＰ値（ＰＰｏｄｄ）と奇数歩ＰＰ値（ＰＰｅｖｅｎ）の比較から右傾斜か左傾斜かを判定することができ、上述した図３（Ｄ）や図３（Ｅ）のように傾斜方向を出力することができる。
【００６３】
また、上述のバランス異常の報知は、歩行中にリアルタイムまたはリアルタイムになるべく近いタイミングで実行することが好ましい。この場合、音声や振動により報知すれば、歩行中の利用者は体動測定装置１を見ずともバランス異常を知ることができる。このため、ユーザは、バランス異常の報知を受けてその場でバランス良い歩行に正し、バランス異常の報知が無くなることで歩行を矯正できたことを認識できる。
【００６４】
演算部１４は、歩行バランスＰＰと歩行バランスＴのいずれにも
“Ｕｎｂａｌａｎｃｅｄ”が代入されていなければ（ステップＳ１６：Ｎｏ）、ユーザにバランス正常を報知する（ステップＳ１８）。  
ここでのユーザへの報知方法は、種々の方法を採用できる。たとえば、図３（Ｃ）に示すように、表示部１３にバランス正常の旨を示す「良好」の状態説明文字６６を表示する、表示部１３に人が真っ直ぐ立っている人絵図６５あるいは歩いている図を表示する、別途備えたＬＥＤ等を青色などで発光あるいは点滅させる、別途備えた振動装置（バイブレーション装置）を振動させる、あるいはこれらの複数を行うことができる。なお、このようにバランス正常の場合、ユーザに対する報知を行わない構成とすることもできる。この場合は、バランス異常の場合のみ報知が行われ、ユーザに常時バランス良否を確認させる手間を省略できる。
【００６５】
以上の構成および動作により、歩行バランスの良否を検出し、出力することができる。特に、奇数歩と偶数歩とに分離して検出することで、歩行時の装着ユーザの左右方向のバランスである左右バランスを検出することができる。
【００６６】
詳述すると、図４（Ａ）や図５（Ａ）に示すように、バランスの良い通常歩行であれば、ＰＰ値（ＰＰ１〜ＰＰ６）、および一歩時間Ｔ（Ｔ１〜Ｔ６）は、右足ステップ（奇数歩）と左足ステップ（偶数歩）との差が殆どない状態である。従って、偶数歩ＰＰ値（ＰＰｏｄｄ）／奇数歩ＰＰ値（ＰＰｅｖｅｎ）および偶数歩一歩時間Ｔ（Ｔｏｄｄ）／奇数歩一歩時間Ｔ（Ｔｅｖｅｎ）が１に近い値（基準範囲内）となり、バランス良と判定することができる。
【００６７】
一方、左足をかばって歩行した場合であれば、図４（Ｂ）に示すように、ＰＰ値（ＰＰ１〜ＰＰ６）、および一歩時間Ｔ（Ｔ１〜Ｔ６）は、右足ステップ（奇数歩）と左足ステップ（偶数歩）との差が大きくなる。従って、偶数歩ＰＰ値（ＰＰｏｄｄ）／奇数歩ＰＰ値（ＰＰｅｖｅｎ）または偶数歩一歩時間Ｔ（Ｔｏｄｄ）／奇数歩一歩時間Ｔ（Ｔｅｖｅｎ）が１から遠い値（基準範囲外）となり、バランス不良と判定することができる。
【００６８】
また、右足を引きずって歩行した場合であれば、図５（Ｂ）に示すように、左足ステップと右足ステップとで一歩時間および振幅に偏りが出る。従って、偶数歩ＰＰ値（ＰＰｏｄｄ）／奇数歩ＰＰ値（ＰＰｅｖｅｎ）または偶数歩一歩時間Ｔ（Ｔｏｄｄ）／奇数歩一歩時間Ｔ（Ｔｅｖｅｎ）が１から遠い値（基準範囲外）となり、バランス不良と判定することができる。
【００６９】
また、図６（Ａ）に示すように上半身を右に傾けた場合や、図６（Ｂ）に示すように上半身を左に傾けた場合も、左足ステップと右足ステップとで一歩時間および振幅に偏りが出る。従って、偶数歩ＰＰ値（ＰＰｏｄｄ）／奇数歩ＰＰ値（ＰＰｅｖｅｎ）または偶数歩一歩時間Ｔ（Ｔｏｄｄ）／奇数歩一歩時間Ｔ（Ｔｅｖｅｎ）が１から遠い値（基準範囲外）となり、バランス不良と判定することができる。
【００７０】
このように、様々な歩行バランスの不良を検出することができ、ユーザに報知することができる。従って、歩行バランスを検出する体動測定装置１は、例えばファッションモデルのように美しく歩くための訓練に使用する、歩行バランスの良い健康的な歩行の訓練に使用する、あるいは歩行訓練のリハビリテーションの進捗管理に使用するといったことができる。
【００７１】
また、体動測定装置１のみで歩行バランスを検出できるため、床に圧力センサを敷き詰めるといったことが不要であり、日常生活のあらゆる場所の歩行で歩行バランスを検出できる非常に利便性の良い体動測定装置１をユーザに提供することができる。
【００７２】
また、歩行バランスの不良を種々の方法でユーザに報知することができるため、ユーザは歩行バランスの不良に気づいて良好な歩行バランスの歩行をするように意識付けすることができる。
【００７３】
また、偶数歩の値（一歩時間または振幅）と奇数歩の値（一歩時間または振幅）の一方から他方を除算した値（つまり絶対値ではなく偶数歩と奇数歩の相対値）を用いるため、個々人の歩幅や歩行時上下動の大きさ等の個人差に関係なく歩行バランスの良否を判定することができる。
【００７４】
この発明の構成と、上述の実施形態との対応において、
この発明の体動バランス検出装置およびコンピュータは、実施形態の体動測定装置１に対応し、
以下同様に、
加速度センサは、加速度検知部１２に対応し、
体動関連信号および加速度信号は、加速度検知部１２の検知信号に対応し、
出力手段および表示手段は、表示部１３に対応し、
体動バランス表示は、表示部１３に表示するバランス異常の旨や図、ＬＥＤの発光や点滅、音声出力装置の音声案内、または振動装置の振動に対応し、
体動バランス検出手段は、ステップＳ９、ステップＳ１３、またはステップＳ９，Ｓ１３，Ｓ１６を実行する演算部１４に対応し、
歩数カウント手段は、ステップＳ４の後にカウント歩数を記憶する演算部１４に対応し、
歩数表示は、ステップＳ４の後にカウント歩数を表示する演算部１４に対応し、
記憶手段は、記憶部１６に対応し、
電源手段は、電源部１８に対応し、
足別情報は、ＰＰｏｄｄ、Ｔｏｄｄ、ＰＰｅｖｅｎ、およびＴｅｖｅｎに対応し、
加速度信号の振幅は、ＰＰｏｄｄおよびＰＰｅｖｅｎに対応し、
加速度信号の一歩時間は、ＴｏｄｄおよびＴｅｖｅｎに対応し、
連続性判定処理は、ステップＳ７に対応し、
振幅比較処理は、ステップＳ８に対応し、
足別情報取得処理は、ステップＳ８、およびステップＳ１２に対応し、
体動バランス検出処理は、ステップＳ９、ステップＳ１３、またはステップＳ９，Ｓ１３，Ｓ１６に対応し、
一歩時間比較処理は、ステップＳ１３に対応し、
所定歩数は、１０歩に対応し、
判定基準は、第１〜第４バランス判定基準値に対応し、
判定基準指定受付手段は、操作部１７に対応し、
運動生体の鉛直方向の加速度信号は、加速度信号の鉛直成分に対応し、
運動生体の左右方向の加速度信号は、加速度信号の左右成分に対応し、
体動バランスは、歩行における右足と左足の一歩時間および振幅の偏りに対応するが、
この発明は、上述の実施形態の構成のみに限定されるものではなく、多くの実施の形態を得ることができる。
【００７５】
例えば、体動測定装置１は、歩行バランスに限らず、走行バランス、足踏みバランス、もも上げバランスなどの体動バランスを検出する構成としてもよい。この場合、様々な運動における装着ユーザの体動バランス、若しくは装着ユーザの足運動（歩行、走行、足踏み、もも上げ）に関する足運動バランス、若しくは装着ユーザの左右方向の左右バランスを検出することができる。
【００７６】
また、体動測定装置１は、第１〜第４バランス判定基準値をより細かく設定し、正常と判定する範囲を狭くする、あるいは、ＰＰｏｄｄ／ＰＰｅｖｅｎやＴｏｄｄ／Ｔｅｖｅｎの値をそのまま出力する構成にすることができる。これにより、体動バランスの僅かな差を検出でき、スポーツ選手の体動バランスの診断や、リハビリテーションにおける運動能力回復の診断に役立てることができる。またこの場合、第１〜第４バランス判定基準値を操作部１７の操作によって詳細に設定できるようにすれば、体動バランスの向上に応じて適正範囲（体動バランスが良好であると判定する範囲）を狭く設定することができる。
【００７７】
また、図７に示すように、体動測定装置１と通信部１１を介して通信できるユーザ端末４、およびインターネット３を介してユーザ端末４と通信できる管理装置２とを備えて体動バランス検出システム１０として利用してもよい。
【００７８】
この場合、管理装置２は、例えばサーバ装置として利用されるような適宜のコンピュータであり、制御部２０、記憶部２１、操作部２２、表示部２３、および通信部２４等を有している。通信部２４は、有線接続するＬＡＮボードや無線通信する無線ＬＡＮボードなど、適宜の通信機器で構成することができる。
【００７９】
この管理装置２は、係員による操作部２２の操作により、ユーザ端末４を介して体動測定装置１からデータを受信し、このデータに基づく出力画面を表示部２３に表示する。この出力画面には、歩数、バランスの正常／異常などを表示する。
【００８０】
ユーザ端末４は、例えばパーソナルコンピュータで構成され、制御部４０、通信部４１、操作部４２、表示部４３、および通信部４４を有している。通信部４１は、有線接続するＬＡＮボードや無線通信する無線ＬＡＮボードなど、適宜の通信機器で構成することができる。通信部４４は、有線接続するＵＳＢ（Universal  Serial  Bus）や無線通信するＢｌｕｅｔｏｏｔｈ（登録商標）など、適宜の通信インターフェースで構成することができる。
【００８１】
このユーザ端末４は、通信部４４を介して体動測定装置１からデータを取得し、このデータに基づくグラフや表を表示部４３に表示する機能、このデータを管理装置２に送信する機能を有している。表示部４３に表示する画面には、歩数、バランスの正常／異常などを表示する。
【００８２】
なお、このユーザ端末４は、パーソナルコンピュータに限らず、ＰＤＡ（Personal  Digital  Assistants）や携帯電話といった携帯型情報処理装置で構成するなど、適宜の装置で構成することができる。
【００８３】
このように構成した場合、情報処理端末（ユーザ端末４や管理装置２）の表示手段（表示部４３や表示部２３）に体動バランスの検出結果や判定結果を表示する構成とすることで、インストラクターや医者などが体動バランスをリアルタイムに確認することができ、指導や診断を良好に行うことができる。また、情報処理端末（ユーザ端末４や管理装置２）の操作手段（操作部４２や操作部２２）で第１〜第４バランス判定基準値を入力する構成とすれば、インストラクターや医者などがリアルタイムに基準を変更することができる。またこの場合、第１〜第４バランス判定基準値や体動バランス検出プログラムを情報処理端末（ユーザ端末４や管理装置２）に記憶させ、体動測定装置１から加速度信号を受け取って情報処理端末（ユーザ端末４や管理装置２）により演算する構成にしてもよい。
【００８４】
また、人間のように二足歩行する場合に限らず、ペットや飼育動物など四足歩行あるいは二足歩行する動物の体動バランスの検出に利用してもよい。この場合、ペットや飼育動物が足をかばって歩いていないか診断するなど、症状を話すことができないペットや飼育動物の健康診断に役立てることができる。
【図面の簡単な説明】
【００８５】
【図１】体動測定装置の構成を示すブロック図。
【図２】体動測定装置の演算部が実行する動作のフローチャート。
【図３】表示部の画面イメージの説明図。
【図４】歩行時の加速度検知部の出力波形の説明図。
【図５】歩行時の加速度検知部の出力波形の説明図。
【図６】歩行時の加速度検知部の出力波形の説明図。
【図７】体動バランス検出システムの構成を示すブロック図。
【符号の説明】
【００８６】
１…体動測定装置、１２…加速度検知
部、１３…表示部、１４…演算部、１６…記憶部、１７…操作部、１８…電源部
【図１】
2010119500.tif 000003
【図２】
2010119500.tif 000004
【図３】
2010119500.tif 000005
【図４】
2010119500.tif 000006
【図５】
2010119500.tif 000007
【図６】
2010119500.tif 000008
【図７】
2010119500.tif 000009